(57)【特許請求の範囲】
【請求項１】
易開封型の中仕切りを設けた隔室を有する混合充填袋であって、
該混合充填袋は充填物と剥離可能に構成され、
ゲル状の着色顔料、すなわち粉末の無機顔料に分散剤および炭酸カルシウムを撹拌混合したものと、ゲル状のモルタルまたはポリマーセメント塗料とが、前記隔室にそれぞれ充填されており、
当該混合充填袋の中仕切りは、施工現場において加圧手段により開封可能に構成され、
かつ、前記ゲル状の着色顔料とゲル状のモルタルまたはポリマーセメント塗料の両者が、前記充填袋内で攪拌混合可能に構成され、
混合物が壁材あるいは床材として使用できるようにしたこと
を特徴とする特殊フィルムによる混合充填袋。
【請求項２】
前記易開封型の中仕切りを設けた隔室を有する混合充填袋が、低密度ポリエチレンシートの内側に易開封型オープン用シーラントフィルムを積層したものであることを特徴とする請求項１に記載の特殊フィルムによる混合充填袋。
【請求項３】
前記易開封型の中仕切りを設けた隔室を有する混合充填袋が、前記隔室の一方の先端に易開封用の切込みを形成されていることを特徴とする請求項１または２に記載の特殊フィルムによる混合充填袋。
【請求項４】
前記易開封型の中仕切りを設けた隔室を有する混合充填袋を構成する易開封型オープン用シーラントフィルムが、充填される粉末の無機顔料に分散剤および炭酸カルシウムを撹拌混合したゲル状の着色顔料とゲル状のモルタルまたはポリマーセメント塗料のいずれに対しても密着性を備えていないものであることを特徴とする請求項１ないし３のいずれかに記載の特殊フィルムによる混合充填袋。
【発明の詳細な説明】
【技術分野】
【０００１】
本発明は、易開封型の中仕切りを設けた隔室を有する混合充填袋であって、該混合充填袋は充填物との剥離性に優れており、粉末の無機顔料に分散剤および炭酸カルシウムを撹拌混合したゲル状の着色顔料と、ゲル状のモルタルまたはポリマーセメント塗料とを前記隔室にそれぞれ充填するとともに、当該混合充填袋を施工現場で加圧して中仕切りを開封して撹拌混合し、壁材あるいは床材として使用できるようにした特殊フィルムによる混合充填袋に関するものである。
【背景技術】
【０００２】
従来、水を用いて混練し使用されるモルタルまたはポリマーセメント塗料等は、粉末の状態の分散顔料を現場で撹拌混合して色付けするのが一般的であった。そして、使用に際しては、粉末のモルタルまたはポリマーセメント塗料等に粉末の分散顔料を配合し、水と混練して使用していた。この時、粉塵の飛散があり、作業者に対して衛生面で好ましくなかった。
【０００３】
また、モルタルまたはポリマーセメント塗料等を水を用いて混練しておき、これに粉末の状態の分散顔料を現場で撹拌混合して色付けすることも試みられていたが、分散顔料の混合状態が良好ではないという問題があった。
【０００４】
特開平６−３４５１２４号公報（特許文献１参照）には、各種セメント，石膏等の水硬性物質を主結合材にした塗料または塗材、再乳化形粉末樹脂、水溶性樹脂等を主結合材とした塗料の新規な包装形態とその製品が提案されている。
【先行技術文献】
【特許文献】
【０００５】
【特許文献１】特開平６−３４５１２４号公報
【発明の概要】
【発明が解決しようとする課題】
【０００６】
本発明は、易開封型の中仕切りを設けた隔室を有する混合充填袋であって、該混合充填袋は充填物との剥離性に優れており、粉末の無機顔料に分散剤および炭酸カルシウムを撹拌混合したゲル状の着色顔料と、ゲル状のモルタルまたはポリマーセメント塗料とを前記隔室にそれぞれ充填するとともに、当該混合充填袋を施工現場で加圧して中仕切りを開封して撹拌混合し、壁材あるいは床材として使用できるようにしたことにより、長期保存が可能であり、また当該混合充填袋を施工現場で加圧して中仕切りを開封して撹拌混合するだけで無理なく塗料を着色することができ、直ちに施工に使用することができる特殊フィルムによる混合充填袋を提供することを目的とするものである。
【課題を解決するための手段】
【０００７】
すなわちこの発明の特殊フィルムによる混合充填袋は、易開封型の中仕切りを設けた隔室を有する混合充填袋であって、
該混合充填袋は充填物と剥離可能に構成され、
ゲル状の着色顔料、すなわち粉末の無機顔料に分散剤および炭酸カルシウムを撹拌混合したものと、ゲル状のモルタルまたはポリマーセメント塗料とが、前記隔室にそれぞれ充填されており、
当該混合充填袋の中仕切りは、施工現場において加圧手段により開封可能に構成され、
かつ、前記ゲル状の着色顔料とゲル状のモルタルまたはポリマーセメント塗料の両者が、前記充填袋内で攪拌混合可能に構成され、
混合物が壁材あるいは床材として使用できるようにしたこと
を特徴とする特殊フィルムによる混合充填袋。
【０００８】
この発明の特殊フィルムによる混合充填袋において、前記易開封型の中仕切りを設けた隔室を有する混合充填袋が、低密度ポリエチレンシートの内側に易開封型オープン用シーラントフィルムを積層したものであることをも特徴とするものである。
【０００９】
この発明の特殊フィルムによる混合充填袋において、前記易開封型の中仕切りを設けた隔室を有する混合充填袋が、前記隔室の一方の先端に易開封用の切込みを形成されていることをも特徴とするものである。
【００１０】
この発明の特殊フィルムによる混合充填袋において、前記易開封型の中仕切りを設けた隔室を有する混合充填袋を構成する易開封型オープン用シーラントフィルムが、充填される粉末の無機顔料に分散剤および炭酸カルシウムを撹拌混合したゲル状の着色顔料とゲル状のモルタルまたはポリマーセメント塗料のいずれに対しても密着性を備えていないものであることをも特徴とするものである。
【発明の効果】
【００１１】
この発明の特殊フィルムによる混合充填袋の適用される、施工現場で撹拌混合して充填されるモルタルまたはポリマーセメント塗料の例としては、各種セメント，骨材が既調合となったセメントモルタル，各種軽量骨材，スラグ，炭酸カルシウム，水酸化アルミニウム，再乳化形粉末樹脂，石膏，しっくい等を適度に配合した左官用資材や耐火被覆材、再乳化形粉末樹脂あるいは粉末状水溶性樹脂を主結合材とした繊維壁材や建築仕上塗材等があげられる。
【００１２】
使用に際しては、易開封型の中仕切りを設けた隔室を有する混合充填袋に、粉末の無機顔料に分散剤および炭酸カルシウムを撹拌混合したゲル状の着色顔料と、ゲル状のモルタルまたはポリマーセメント塗料とを前記隔室にそれぞれ充填し、当該混合充填袋を施工現場で加圧して中仕切りを開封して撹拌混合し、壁材あるいは床材として使用する。
したがって、粉塵の発生が押さえられるとともに、適宜の量の着色原料を隔室に収納しておくことにより、誤差の少ない調色が可能になる。
【００１３】
このような混合充填袋を施工現場で加圧して中仕切りを開封して撹拌混合することにより使用できる特殊フィルムによる混合充填袋を提供することによって、撹拌混合作業の煩わしさを改善し、作業効率を向上させるとともに、粉塵の飛散から作業者を保護し、衛生的作業環境が実現できる。
また、特殊フィルムによる混合充填袋に粉末の無機顔料を計量して配合した場合は、ゲル状の着色顔料の計量手間を無くすとともに調色の精度を高めることができる。
【図面の簡単な説明】
【００１４】
【図１】本発明の特殊フィルムによる混合充填袋の実施の形態を示す概略説明図である。
【図２】各種建築物の隙間を埋めるシーラントとして使用する際の具体例を示す概略斜視図である。
【発明を実施するための形態】
【００１５】
以下本発明の特殊フィルムによる混合充填袋の詳細について、図面や実施例に基いて詳細に説明する。
図１は易開封型の中仕切り１２を設けた隔室１３，１３を有する混合充填袋１１であって、該混合充填袋１１は充填物との剥離性に優れており、粉末の無機顔料に分散剤および炭酸カルシウムを撹拌混合したゲル状の着色顔料１４と、ゲル状のモルタルまたはポリマーセメント塗料１５とを前記隔室１３，１３にそれぞれ充填するとともに、当該混合充填袋１１を施工現場で加圧して中仕切り１２を開封して撹拌混合し、壁材あるいは床材として使用できるようにしたものである。
なお、前記易開封型の中仕切り１２を設けた隔室１３，１３を有する混合充填袋１１は、前記隔室１３，１３の一方の先端に易開封用の切込み１６を形成されている。
図２は各種建築物の隙間を埋めるシーラントとして使用する際の具体例を示すものであって、前記切込み１６部分で切断し、建築物の隙間１７に混合した充填物１８を導入する状態を示している。
【実施例】
【００１６】
次に本発明の特殊フィルムによる混合充填袋を実施例により具体的に説明するが、本発明はこれにより何等限定されるものではない。
【００１７】
実施例
易開封型の中仕切りを設けた少なくとも一対の隔室を有する混合充填袋（低密度ポリエチレン製）の厚さ７５μのシートをつくり、エチレン−プロピレン共重合体と洗浄低密度ポリエチレンとのポリマーブレンドからなるイージーピールフィルムをその内側に積層し、そしてその中央にヒートシールによる中仕切りを備えた１５×２０ｃｍの袋にした。
一方の隔室には粉末の無機着色顔料に分散剤および炭酸カルシウムを撹拌混合したゲル状の着色顔料を１ｋｇ充填した。また他方の隔室には、ゲル状のモルタルまたはポリマーセメント塗料を投入し、両端をヒートシールにより密閉した。
当該混合充填袋を施工現場で加圧して中仕切りを開封してゲル状の原料を撹拌混合し、壁材あるいは床材として使用したところ、混錬した両原料は全体が均一に混合されていた。
なお、特殊フィルムによる混合充填袋を２カ月保存した後、両原料を取り出して観察したが何等異常は認められず保管性の良いことが判明した。
【産業上の利用可能性】
【００１８】
現場での撹拌混合作業を必要としない特殊フィルムによる混合充填袋を提供することによって、現場での撹拌混合作業の煩わしさを改善し、作業効率を向上させるとともに、粉塵の飛散から作業者を保護し、衛生的作業環境が実現できる。
また、顔料として着色顔料を所定量加えた場合は、顔料の計量手間を無くすとともに調色の精度を高めることができる。
【符号の説明】
【００１９】
１１  混合充填袋
１２  中仕切り
１３，１３  隔室
１４  着色顔料
１５  モルタルまたはポリマーセメント塗料
１６  切込み
１７  建築物の隙間
１８  充填物
【要約】
【課題】
長期保存が可能であり、また施工時にモルタルまたはポリマーセメント塗料等に袋ごと投入するだけで水溶性フィルムが水に溶解して無理なく塗料を着色することができる特殊フィルムによる混合充填袋を提供することを目的とする。
【解決手段】
易開封型の中仕切りを設けた隔室を有する混合充填袋であって、該混合充填袋は充填物との剥離性に優れており、粉末の無機顔料に分散剤および炭酸カルシウムを撹拌混合した着色顔料と、モルタルまたはポリマーセメント塗料とを前記隔室にそれぞれ充填するとともに、当該混合充填袋を施工現場で加圧して中仕切りを開封して撹拌混合し、壁材あるいは床材として使用できるようにしたことを特徴とする特殊フィルムによる混合充填袋。
【選択図】図１【図１】
0006786734.tif 000002
【図２】
0006786734.tif 000003